(57)【要約】患者用サポートが、長手方向チャンネル２３によりフレーム２２上方へ持ち上げられた、半透明のサポート面２４を支持しているフレームから構成されている。チャンネル２３は、フレーム全長にわたっての摺動するＸ線カセットトレー３６を支持している。Ｘ線カセットトレー３６は、フレーム２２の頭側端部３０あるいは足側端部３２のどちらからでもチャンネル２３に塔載することができる。患者サポート面全体がＸ線カセットによりカバーされている。使用にあたって、Ｘ線カセットトレー３６がチャンネル２３から引き出され、Ｘ線カセット３８に塔載される。ハンドル３９がトレー３６内部から引き出され、ラッチ３８に対して所定位置にロックされる。トレー３６は続いてチャンネル２３を引きもどされ、トレー３６内部におけるカセット３８の位置は、フレーム２２の側部において目視可能な指示計６６の位置により指示されている。
2004510531.tif 000002
【特許請求の範囲】
【請求項１】
患者が横になるための患者サポート面を支持するフレームを具備している患者用サポート装置において：
該フレームが、該患者サポート面の下方でそのフレームの全長に沿って少なくとも一つのＸ線カセットトレーを支持するための手段を含んでいて；
該Ｘ線カセットトレーがＸ線カセットを収納しており；
該Ｘ線カセットトレーが自身の移動手段を備えていて；
使用にあたって、該移動手段が該患者サポート面の下方における該Ｘ線カセットトレー内部のＸ線カセットの位置を直接的に示めす点を提供している；
ところの患者用サポート装置。
【請求項２】
該移動手段が、該Ｘ線カセットの最上端部に一致している指示計を備えたハンドルであるところの、請求項１に記載の患者用サポート装置。
【請求項３】
該指示計が、該患者サポート面の下方における該フレームの側部に沿って目視可能であるところの、請求項２に記載の患者用サポート装置。
【請求項４】
該ハンドルは、使用していない場合該Ｘ線カセットトレー内部に収納されているところの、請求項１〜３のいずれか一項に記載の患者用サポート装置。
【請求項５】
該ハンドルは、使用していない場合該Ｘ線カセットトレー内部に収納することを可能にするべく、さし込まれあるいは回転式に取りつけられているところの、請求項４に記載の患者用サポート装置。
【発明の詳細な説明】
【０００１】
本発明は、患者用サポート装置に関するもので、より詳しくは特くにＸ線カセットサポートを有している患者用サポート装置に関する。
【０００２】
病院において、救急室に使用するストレッチャあるいはベッドがあることは公知であって、それらは種々の機能を果すべく使用される。例えば、ストレッチャあるいはベッドは患者が処置を待つ間のベッドとして使われるかも知れないし、患者搬送用として使用されるかも知れない。時に、ストレッチャあるいはベッドは、診察台又は手術台又は外科手術の前若しくは手術中若しくは手術後におけるＸ線撮影用台としても使用される。
【０００３】
Ｘ線撮影用台として使用するストレッチャあるいはベッドは、Ｘ線が透過する水平ベッド面の下に配置されたＸ線カセットサポートを有している。
【０００４】
そのようなベッドあるいはストレッチャはベッド面の下におけるＸ線カセットを位置決めするためにアクセサリを必要としている。Ｘ線撮影するために、端部にフックを備えた位置決めロッドが、ベッド面の下方におけるトレーを位置決めするために、Ｘ線カセットトレーのハンドルに係合するべく使用されている。Ｘ線カセットトレーが連続撮影のために同一場所に配置できるように、ロッド上に目盛が備えられている。
【０００５】
ストレッチャあるいはベッドを支えているフレームは、少なくとも一方の側部に全長にわたって目盛付きスケールを有している。ロッドの目盛付きスケールの単位はフレームのそれと一致している。ロッドの目盛付きスケールは、ハンドル端部から係合手段端部に向かって又は係合手段端部からハンドル端部に向かって、数字上増えてゆく。
【０００６】
使用にあたって、専門技術者は装置の側部からフレームスケールを見て、Ｘ線撮影する身体部位に隣接しているフレームスケールの数字を測定する。専門技術者は、続いてフレームの足側端部へ歩き、Ｘ線カセットトレーにロッドを係合し、所望するフレームスケールの数字に一致するロッドスケールの数字がフレームの端部に一直線に見えるまでロッドを押す。このようにして装置はＸ線カセットトレーの正確な位置決めを提供する。
【０００７】
しかしながら、特定のＸ線位置決めのためにフレームスケール及び一致するロッド目盛を測定するプロセスは時間を要しかつ几長なものである。
【０００８】
本発明は、従来技術の欠点を克服する、改善したＸ線トレー位置決め手段を備えた患者サポート装置を提供することを意図しているものである。
【０００９】
従って本発明は、患者が横になるための患者サポート面を支持するフレームを具備している患者用サポート装置を提供していて、その装置において：
フレームが、患者サポート面の下にそのフレームの全長に沿って少なくとも一つのＸ線カセットトレーを支持するための手段を含んでいて；
Ｘ線カセットトレーがＸ線カセットを収納しており；
Ｘ線カセットトレーが自身の移動手段を備えていて；
使用にあたって、移動手段が患者サポート面の下方におけるＸ線カセットトレー内部のＸ線カセットの位置を直接的に示めす点を提供している。
【００１０】
好ましくは移動手段が、Ｘ線カセットの最上端部に一致している指示計を備えたハンドルであって、指示計が、患者サポート面の下方における該フレームの側部に沿って目視可能である。このようにして、ハンドルはＸ線カセットを所定位置へ位置決めするために押され、フレームの側部に沿った指示計の位置は患者サポート面の下におけるＸ線カセットの位置がどこにあるかを正確に示めしている。従来技術のような、フレームの数字とＸ線トレーを押すための手段との数字とを合わせる必要性はなくなっている。
【００１１】
好ましくはハンドルは、使用していない場合トレー内部に収納されている。ハンドルは、使用していない場合Ｘ線カセットトレー内部に収納することを可能にするべく、さし込まれあるいは回転式に取りつけられている。
【００１２】
本発明が例を用いて図面を参照し以下に説明される。
図１において患者用サポートがフレーム２２にサポートされた半透明の患者サポート面２４を有している。
フレーム２２は、フレーム部材２３によりフレーム２２上方へ持ち上げられたサポート面２４を支持している。サポート面２４及びいずれのマット（図示されていない）もがＸ線を透過するべく選択されている。図２に示めすようなＸ線カセット３６は、フレーム２２とサポート面２４との間でフレーム２２の頭側端部３０と足側端部３２とに配置されている。
【００１３】
Ｘ線カセットトレー３６は側部４０，４２，４４及び４６を有している。側部４６は、トレー３６を容易に移動し位置決めするためのハンドル３９と協働しているラッチ３８を有している。Ｘ線カセットトレー３６上のクランプ５２はＸ線カセット５３をＸ線カセットトレー３６上に締めつけるために使用される。
【００１４】
フレーム２２は、長手方向サポートチャンネル２３を含んでいて、フレーム２２の全長に沿って摺動移動するべくＸ線カセットトレー３６を支持している。Ｘ線カセットトレー３６はフレーム２２の頭側端部３０と足側端部３２との、一方あるいは両方から、サポート面２４の下方のチャンネル２３上へ塔載することができる。Ｘ線カセットトレー３６は各々チャンネル２３に沿って患者サポート面の中央へ向けて移動できる。したがって、ほぼ全体の患者サポート面がＸ線カセットによりカバーされる。
【００１５】
患者サポート面２６の下方におけるＸ線カセットトレー３６の正確な位置決め用ハンドル３９は通常トレー内部に収納されている。使用中ハンドル３９は、カセットトレー３６の外へ延伸するべく引き出されラッチ３８に対して所定位置に締めつけられる。使用中延伸位置において、ハンドル３９の指示計６５が、トレー内部におけるＸ線カセットの最上端部と同一位置になっている。ハンドル３９はＸ線カセットトレー内部で摺動可能であるが、はめ込み式あるいは回転式に取りつけることも出来る（図示されていない）。
【００１６】
使用にあたって、Ｘ線カセットトレー３６は、チャンネル２３から引き出され、Ｘ線カセット３８がクランプ５２で締めつけることにより塔載される。ハンドル３９は、トレイ３６内部から引き出され、ラッチ３８に対して所定位置にロックされる。塔載されたＸ線カセットトレー３６が続いて頭側端部３０又は足側端部３２からチャンネル２３上へ引きもどされ、所望に応じてトレー３６内部におけるカセット３８位置は、フレーム２２の側部に沿って目視可能に、指示計６６の位置で指示される。
【００１７】
従って、すべての医師あるいは専門技術者が行こなうべきことは、指示計６６がＸ線撮影する患者の部位に一致するまで、ハンドル６４を押すことである。指示計６６は、フレーム２２側部で容易に目視可能であって、患者サポート面２４の下方におけるＸ線カセット位置を直接的に示めす位置を提供する。医師及び／又は専門技術者は、ロッド若しくはスケールを測定する必要はなく、又はＸ線カセットがどこにあるのか判断する必要はない。指示計６６は患者サポート面２４の下におけるＸ線カセットの位置を直接的に示めす点を提供する。
【００１８】
前述の装置の構造は本発明における好適な実施の形態を構成しているが、本発明は装置の構造を限定するものではなく、前述の特許請求の範囲に規定する本発明の範囲を逸脱することなく変更されてもよいことは理解されるべきである。
【図面の簡単な説明】
【図１】
図１は、本発明における患者サポート面の概略平面図である。
【図２】
図２は収納位置におけるＸ線カセットトレーを示めしている。
【図３】
図３は、患者サポートフレームの概略平面図であって、患者サポートフレームの頭側端部と足側端部とにおける使用位置でのＸ線カセットトレーを示めしている。
【国際公開パンフレット】
2004510531.tif 000003
2004510531.tif 000004
2004510531.tif 000005
2004510531.tif 000006
2004510531.tif 000007
2004510531.tif 000008
2004510531.tif 000009
2004510531.tif 000010
2004510531.tif 000011
2004510531.tif 000012
【国際調査報告】
2004510531.tif 000013
2004510531.tif 000014